(57)【要約】【課題】蓋体の中央部に螺設させて迅速に組み立てることができる発光体アセンブリ構造を提供する。【解決手段】発光体アセンブリ構造は、蓋体１、少なくとも１つの導電性部材２及び発光装置３を備える。蓋体１は、中空部を有し、収納槽１１が底面に凹設され、少なくとも１つの凸縁１２及び少なくとも１つの凹口部１３が内縁表面に互いに対応して設けられる。導電性部材２は、蓋体１の収納槽１１内に嵌設される。発光装置３は、回路基板３１及びランプカバー３２を有し、外縁表面に、少なくとも１つの回転翼３１１，３２１が延伸され、回路基板３１上には、少なくとも１つの発光体３１２が配置され、回路基板３１上に少なくとも１つの弾性電極片３１３が設けられる。弾性電極片３１３は、発光体３１２の正負ピンと電気的に接続され、ランプカバー３２上に少なくとも１つの開口ユニット３２２が設けられる。【選択図】図１
0003175919.tif 000002
【実用新案登録請求の範囲】
【請求項１】
蓋体、少なくとも１つの導電性部材及び発光装置を備えた発光体アセンブリ構造であって、
前記蓋体は、中空部を有し、収納槽が底面に凹設され、少なくとも１つの凸縁及び少なくとも１つの凹口部が内縁表面に互いに対応して設けられ、
前記導電性部材は、前記蓋体の前記収納槽内に嵌設され、
前記発光装置は、回路基板及びランプカバーを有し、外縁表面に、少なくとも１つの回転翼が延伸され、前記回路基板上には、少なくとも１つの発光体が配置され、前記回路基板上に少なくとも１つの弾性電極片が設けられ、前記弾性電極片は、前記発光体の正負ピンと電気的に接続され、前記ランプカバー上に少なくとも１つの開口ユニットが設けられ、前記開口ユニットと前記弾性電極片とが対応して配置され、前記開口ユニットから前記弾性電極片が露出され、
前記発光装置は、前記蓋体と結合され、前記発光装置の前記回転翼を前記蓋体の前記凹口部内へ収容し、前記発光装置を回転させると、前記弾性電極片が前記蓋体の前記凸縁内に収容され、前記蓋体内の前記導電性部材と密着されることを特徴とする発光体アセンブリ構造。
【請求項２】
前記弾性電極片は、前記発光装置の前記回転翼上に設けられることを特徴とする請求項１に記載の発光体アセンブリ構造。
【請求項３】
前記蓋体の２つの凸縁間にガイド部が突設され、
前記発光装置の前記回転翼には、位置規制部が凹設され、
前記位置規制部は、前記ガイド部に対応して設けられ、前記蓋体と前記発光装置とが精確に対応して結合されることを特徴とする請求項１に記載の発光体アセンブリ構造。
【考案の詳細な説明】
【技術分野】
【０００１】
本考案は、発光体アセンブリ構造に関し、特に、蓋体の中央部に螺設させて迅速に組み立てることができる発光体アセンブリ構造に関する。
【背景技術】
【０００２】
発光ダイオード（Ｌｉｇｈｔ  Ｅｍｉｔｔｉｎｇ  Ｄｉｏｄｅ：ＬＥＤ）は、長寿命、省電力、耐久性、耐振性、堅牢性、小型及び高速反応の特性を備え、大量生産に適しているという長所を有する。そのため、照明器具に広く応用されている。しかし、ＬＥＤは実用的であるが、発光に伴い高温が発生するため、ＬＥＤを正常に動作させるには、放熱モジュールにより放熱を行う必要がある。即ち、放熱モジュールとＬＥＤとは密接不可分の関係にある。
【０００３】
従来のＬＥＤと放熱モジュールとを組み立てる際、以下（１）及び（２）の欠点がある。
（１）ＬＥＤに発生した熱を放熱モジュールにより排出させることができるように、従来のＬＥＤをアルミニウム板上に設置した後、アルミニウム板を放熱モジュールに螺設したり貼設したりする。しかしこのような製作方式は、加工時間が長く、組み立てコストが多くかかるため経済性が低い。
（２）従来のＬＥＤを電源供給装置に接続し、電源供給装置により電源を供給すると、ＬＥＤを発光させることができる。しかし、この方式では、各ＬＥＤを接続する必要があり配線が複雑となる。
【０００４】
また、特許文献１は、本出願人が出願した案件であり、本出願との違いは、組み立て原理及び構成構造にある。
【先行技術文献】
【特許文献】
【０００５】
【特許文献１】米国特許出願第１２／４００９２３号明細書
【考案の概要】
【考案が解決しようとする課題】
【０００６】
本考案の第１の目的は、発光装置を蓋体の中央部に螺設することにより発光装置上の弾性電極片を蓋体内の導電性部材に密着させることができる上、迅速に着脱を行うこともできる発光体アセンブリ構造を提供することにある。
本考案の第２の目的は、発光装置及び蓋体を導電性部材及び弾性電極片を介して面接触させ、ユーザが回転させるときに、導電性部材と弾性電極片とが接触したか否か分かるように、蓋体上には複数の凸縁が設けられ、発光装置上には複数の回転翼が設けられ、発光装置が蓋体内で回転され、発光装置の回転翼が蓋体の凸縁ストッパ板により位置規制されて導電性部材と弾性電極片とが接触されていることが分かるため、ユーザは組み立てを簡単に行うことができる発光体アセンブリ構造を提供することにある。
本考案の第３の目的は、回路基板上に設けられた弾性電極片を導電性部材に密着させ、導電に用いる以外に、発光体の熱エネルギを導電性部材へ伝達して迅速に放熱を行う発光体アセンブリ構造を提供することにある。
【課題を解決するための手段】
【０００７】
上記課題を解決するために、蓋体、少なくとも１つの導電性部材及び発光装置を備えた発光体アセンブリ構造であって、前記蓋体は、中空部を有し、収納槽が底面に凹設され、少なくとも１つの凸縁及び少なくとも１つの凹口部が内縁表面に互いに対応して設けられ、前記導電性部材は、前記蓋体の前記収納槽内に嵌設され、前記発光装置は、回路基板及びランプカバーを有し、外縁表面に、少なくとも１つの回転翼が延伸され、前記回路基板上には、少なくとも１つの発光体が配置され、前記回路基板上に少なくとも１つの弾性電極片が設けられ、前記弾性電極片は、前記発光体の正負ピンと電気的に接続され、前記ランプカバー上に少なくとも１つの開口ユニットが設けられ、前記開口ユニットと前記弾性電極片とが対応して配置され、前記開口ユニットから前記弾性電極片が露出され、前記発光装置は、前記蓋体と結合され、前記発光装置の前記回転翼を前記蓋体の前記凹口部内へ収容し、前記発光装置を回転させると、前記弾性電極片が前記蓋体の前記凸縁内に収容され、前記蓋体内の前記導電性部材と密着されることを特徴とする発光体アセンブリ構造が提供される。
【０００８】
また、前記導電性部材は、数が２つであり、電源の正極及び負極にそれぞれ接続され、前記導電性部材へ正極及び負極の電源を直接供給することが好ましい。
【０００９】
また、前記導電性部材は、前記蓋体の前記凸縁内に収容されることが好ましい。
【００１０】
また、前記弾性電極片は、前記発光装置の前記回転翼上に設けられることが好ましい。
【００１１】
また、前記蓋体の前記凸縁は、一方の端部が開放端に形成され、他方の端部にストッパ板が延設され、前記開放端を介して前記凸縁内に前記発光装置の前記回転翼を入れ、前記ストッパ板により前記回転翼を位置規制することが好ましい。
【００１２】
また、前記蓋体の２つの凸縁間にガイド部が突設され、前記発光装置の前記回転翼には、位置規制部が凹設され、前記位置規制部は、前記ガイド部に対応して設けられ、前記蓋体と前記発光装置とが精確に対応して結合されることが好ましい。
【００１３】
また、前記ランプカバーの前端中央部には、前記発光装置を回転させる際に指を入れるために用いる互いに対応した２つの凹部が設けられていることが好ましい。
【００１４】
また、前記発光体はＬＥＤであることが好ましい。
【００１５】
また、前記発光体はＯＬＥＤであることが好ましい。
【考案の効果】
【００１６】
本考案の発光体アセンブリ構造は、以下（１）〜（３）の効果を有する。
（１）発光装置を蓋体の中央部に螺設することにより、導電性部材と弾性電極片とが弾性接触されているため迅速に着脱を行うことができる。
（２）発光装置及び蓋体を導電性部材及び弾性電極片を介して面接触させ、ユーザが回転させたときに、導電性部材と弾性電極片とが接触しているか否かが分かるように、蓋体上に複数の凸縁が設けられ、発光装置上に複数の回転翼が設けられ、発光装置を蓋体内で回転させ、発光装置の回転翼が蓋体の凸縁ストッパ板により位置規制されると、導電性部材と弾性電極片とが接触されていることが分かり、ユーザは簡単に組み立てることができる。
（３）回路基板上に設けられた弾性電極片を利用し、回路基板の後端に放熱部材を当接させ、弾性電極片が蓋体の導電性部材と接合されると、弾性電極が回路基板を駆動させて回路基板と放熱部材とがさらに密着され、放熱を迅速に行うことができる。
【図面の簡単な説明】
【００１７】
【図１】本考案の第１実施形態に係る発光体アセンブリ構造を示す分解斜視図である。
【図２】本考案の第１実施形態に係る発光体アセンブリ構造を示す斜視図である。
【図３Ａ】本考案の第１実施形態に係る発光体アセンブリ構造を示す断面図である。
【図３Ｂ】本考案の第１実施形態に係る発光体アセンブリ構造を示す断面図である。
【図４】本考案の第１実施形態に係る発光体アセンブリ構造の外付け放熱部材を示す斜視図である。
【図５】本考案の第２実施形態に係る発光体アセンブリ構造の蓋体及び発光装置を示す断面図である。
【図６】本考案の第３実施形態に係る発光体アセンブリ構造の他の発光装置を示す断面図である。
【図７】本考案の一実施形態に係る発光体アセンブリ構造をダウンライトに応用したときの状態を示す分解斜視図である。
【図８】本考案の一実施形態に係る発光体アセンブリ構造をダウンライトに応用したときの状態を示す斜視図である。
【考案を実施するための形態】
【００１８】
以下、本考案の実施形態について図に基づいて説明する。なお、これによって本考案が限定されるものではない。
【実施例１】
【００１９】
図１及び図２を参照する。図１及び図２に示すように、本考案の第１実施形態に係る発光体アセンブリ構造は、少なくとも蓋体１と、少なくとも１つの導電性部材２と、発光装置３と、から構成される。
【００２０】
蓋体１は、中空部１４を有し、収納槽１１が底面に凹設され、内側に向かって延伸された少なくとも１つの凸縁１２が内縁表面に設けられている。この凸縁１２は、一方の端縁にストッパ板１２１が延設され、他方の端部に開放端１２２が形成され、蓋体１の内縁表面に、凸縁１２及び凹口部１３が互いに対応して形成される。
【００２１】
導電性部材２上には、導電部２１がそれぞれ形成されている。導電性部材２の端部には、電線を接続するために用いるワイヤコネクタ２２が設けられている。導電性部材２は、蓋体１の収納槽１１内に嵌設され、導電性部材２の導電部２１は、蓋体１の各凸縁１２内に位置する。導電性部材２は、数が２つであることが最も好ましく、電源の正極及び負極にそれぞれ接続され、正極及び負極の電源を導電性部材２へ直接供給する。
【００２２】
発光装置３は、回路基板３１及びランプカバー３２を含む。回路基板３１及びランプカバー３２の外縁には、少なくとも１つの切欠きが凹設され、少なくとも１つの回転翼３１１，３２１が形成されている。回路基板３１上には、少なくとも１つの発光体３１２が配置されている。回路基板３１の各回転翼３１１には、弾性電極片３１３が設けられる。ランプカバー３２の各回転翼３２１には、少なくとも１つの開口ユニット３２２が設けられる。この開口ユニット３２２は、弾性電極片３１３に対応して設置されるため、開口ユニット３２２から弾性電極片３１３が露出される。各弾性電極片３１３は、発光体３１２の正極ピン及び負極ピンとそれぞれ電気的に接続される。即ち、弾性電極片３１３は、発光体３１２の正極ピン及び負極ピンを表す。
【００２３】
また、発光装置３の形状が蓋体１の内縁表面の形状に類似しているため、蓋体１の内縁表面に発光装置３を結合させることができる。
【００２４】
弾性電極片３１３は、回路基板３１上に設置することができる。回路基板３１は、回転翼３１１まで延伸させて開口ユニット３２２から露出される。
【００２５】
図３Ａ及び図３Ｂを参照する。図３Ａ及び図３Ｂに示すように、本考案の第１実施形態に係る発光体アセンブリ構造は、発光装置３と蓋体１とを結合させて蓋体１内に発光装置３を配置し、蓋体１の凹口部１３内に回転翼３１１，３２１を位置決めし、蓋体１の中空部１４に発光装置３を配置し、蓋体１の凸縁１２の端部にストッパ板１２１を設け、端部に開放端１２２が設けられているため、凸縁１２の開放端１２２への方向だけで発光装置３が回転され、凸縁１２の他方端のストッパ板１２１により発光装置３を位置規制し、回転翼３１１，３２１が蓋体１の凸縁１２に螺着されると、導電性部材２の導電部２１に弾性電極片３１３が密着され、正極電源及び負極電源が導電性部材２を介して弾性電極片３１３へ供給されると発光体３１２が発光する。
【００２６】
図４を参照する。図４に示すように、第１実施形態に係る発光体アセンブリ構造の外付け放熱部材は、回路基板３１の放熱を迅速に行い、回路基板３１の底面に放熱部材４を貼着し、蓋体１と放熱部材４との間に発光装置３が配置されているため、弾性電極片３１３と導電性部材２とが接触されて回路基板３１と放熱部材４とが密着されるため、放熱を迅速に行うことができる。
【実施例２】
【００２７】
図５を参照する。図５に示すように、第２実施形態に係る発光体アセンブリ構造の蓋体及び発光装置は、蓋体１の２つの凸縁１２間にガイド部１５が突設され、発光装置３内の回路基板３１及びランプカバー３２の回転翼３１１，３２１には、位置規制部３２１１が凹設される。位置規制部３２１１は、蓋体１のガイド部１５に対応して設けられているため、発光装置３と蓋体１とが結合されると、発光装置３の位置規制部３２１１が蓋体１のガイド部１５内に位置し、蓋体１と発光装置３とが精確に対応して結合されるとともに、導電性部材２と発光装置３の電源接続が正極と負極とに分かれ、同様にこの方式により、導電性部材２の正極と発光装置３の正極とが接続され、導電性部材２の負極と発光装置３の負極とが接続されることにより、電極に正確に接続して電源を供給することができる。
【実施例３】
【００２８】
図６を参照する。図６に示すように、第３実施形態に係る発光体アセンブリ構造の発光装置３のランプカバー３２の前端中央部には、互いに対応した２つの凹部３３が形成されているため、発光装置３と蓋体１とが結合され、ユーザが指で２つの凹部３３を摘んで発光装置３を回転させると、発光装置３の弾性電極片３１３を導電性部材２の導電部２１に接触させることにより、蓋体１を回して外すことができる。
【００２９】
図７及び図８を参照する。図７及び図８に示すように、一実施形態に係る発光体アセンブリ構造をダウンライトに応用する。図７及び図８は、放熱部材４の後端に電源供給装置５が取り付けられている点が図１及び図４と異なる。電源供給装置５の正極及び負極の電源は、２つの導電性部材２にそれぞれ接続され、一方の導電性部材２が正極電源であり、他方の導電性部材２が負極電源であり、発光装置３の弾性電極片３１３と導電性部材２とが当接して密着されると、電源供給装置５の正負電源が発光体３１２に供給され、電源供給装置５により発光装置３へ電源を供給することができる。蓋体１上には、位置決め部１６が設置されている。位置決め部１６上には弾性位置決め部１６１が結合され、天井板又は壁面に嵌入すると、位置決め部１６の弾性位置決め部１６１が有する弾性を利用し、蓋体１上の発光装置３を天井板又は壁面へ安定的に嵌設させることができる。
【００３０】
上述の蓋体１を金属材料で製作する際、蓋体１と導電性部材２との間に絶縁処理を行う。
【００３１】
上述の蓋体１は、プラスチック材料で製作してもよい。
【００３２】
上述したことから分かるように、本考案の発光体アセンブリ構造は、以下（１）〜（３）の長所を有する。
（１）発光装置を蓋体の中央部に螺設することにより、導電性部材と弾性電極片とが弾性接触されているため迅速に着脱を行うことができる。
（２）発光装置及び蓋体を導電性部材及び弾性電極片を介して面接触させ、ユーザがどの位回転させれば、導電性部材と弾性電極片とが接触するか分かるように、蓋体上に複数の凸縁が設けられ、発光装置上に複数の回転翼が設けられ、発光装置を蓋体内で回転させ、発光装置の回転翼が蓋体の凸縁ストッパ板により位置規制されると、導電性部材と弾性電極片とが接触されていることが分かり、ユーザは簡単に組み立てることができる。
（３）回路基板上に設けられた弾性電極片を利用し、回路基板の後端に放熱部材を当接させ、弾性電極片が蓋体の導電性部材と接合されると、弾性電極が回路基板を駆動させて回路基板と放熱部材とがさらに密着されるため放熱を迅速に行うことができる。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１        蓋体
２        導電性部材
３        発光装置
４        放熱部材
５        電源供給装置
１１      収納槽
１２      凸縁
１３      凹口部
１４      中空部
１５      ガイド部
１６      位置決め部
２１      導電部
２２      ワイヤコネクタ
３１      回路基板
３２      ランプカバー
３３      凹部
１２１    ストッパ板
１２２    開放端
１６１    弾性位置決め部
３１１    回転翼
３１２    発光体
３１３    弾性電極片
３２１    回転翼
３２２    開口ユニット
３１１１  位置規制部
３２１１  位置規制部
【図１】
0003175919.tif 000003
【図２】
0003175919.tif 000004
【図３Ａ】
0003175919.tif 000005
【図３Ｂ】
0003175919.tif 000006
【図４】
0003175919.tif 000007
【図５】
0003175919.tif 000008
【図６】
0003175919.tif 000009
【図７】
0003175919.tif 000010
【図８】
0003175919.tif 000011